(57)【特許請求の範囲】
【請求項１】
筐体にその筐体の外部表面に露出するネジ穴を設け、前記筐体の内側に配置した部材をその筐体の内部からネジを前記ネジ穴に挿入して前記筐体に固定し、前記筐体の外部表面に貼付けたシートによりその筐体の外部表面に露出するネジ穴を覆うようにし、かつ、前記ネジが挿入され、シートにより覆われたネジ穴の空間と前記筐体の内部との間に空気が流出、流入する通気部を前記筐体に形成したことを特徴とする情報機器の筐体構造。
【発明の詳細な説明】
【技術分野】
【０００１】
本発明は、プリント基板のような部材を筐体のネジ穴（タップ穴）にネジで固定するようにした情報機器の筐体構造に関するものである。
【背景技術】
【０００２】
近年、情報機器、特にノートパソコンのような携帯型の情報処理装置（以下、総称してノートパソコンという）はその携帯性がゆえに屋外に持ち出す機会も多い。従って軽量、コンパクト（＝携帯性）以外にも堅牢性、耐熱性、防水性等が要求される。携帯性、堅牢性については筐体を頑丈かつ軽量にするために例えばアルミニウムまたはその合金やマグネシウムのような軽金属の筐体で構成されたノートパソコンもある。
特許文献１には、基板上で枠板により囲まれた半導体素子を封止樹脂により覆うようにしたものにおいて、枠板の内側から外側に通じる空気抜き用の溝を基板の表面に形成したものが示されている。しかし、これは半導体素子部に関するもので、ノートパソコンのような機器の筐体構造に関するものではない。
【０００３】
以下に従来のノートパソコンの筐体構造について説明する。
【０００４】
図４は金属で構成されたノートパソコンの筐体一部の平面図と、この平面図を一点鎖線で切り落とした断面図である。
【０００５】
図４において、１１はノートパソコンの筐体、１２は筐体に留めるプリント基板のような部材、１３は部材１２を筐体１１に留めるネジ、１４は筐体１１に切ったネジ穴を外部から見えないように覆い隠すシートである。シート１４に筐体１１と同色、または同系色のものが使用され、塗布された粘着材により筐体１１に貼付されネジ穴を筐体外部から覆い隠す。シート１４はポリカーボネイト（ＰＣ：ＰｏｌｙＣａｒｂｏｎａｔｅ）またはポリエチレンテレフタレート（ＰＥＴ：Ｐｏｌｙｅｔｈｙｌｅｎｅｔｅｒｅｐｈｔａｌａｔｅ）のｔ＝０．１８８ｍ／ｍ厚のものに両面テープ（ｔ＝０．１６ｍ／ｍ）を貼付したもので、筐体がマグネシウムであるため同色のシルバーのシート材を採用している。
【特許文献１】実開平２ー３３４４３号公報
【発明の開示】
【発明が解決しようとする課題】
【０００６】
以上のように構成された従来ノートパソコンの筐体構造について、以下その詳細を説明する。
【０００７】
携帯性を有するノートパソコンであるために様々な気候、環境で使用されることは前述のとおりである。ネジ１３で部材１２を筐体１１に留めた場合に図４の１８のようなネジ穴の空間ができる。外気温が高くなるとこの空間１８の空気が膨張するのでシート１４は外部に向かって膨れあがる（１４の実線）。気温が常温であってもノートパソコン内部の温度上昇により空間１８の温度は上昇しその空気は膨張する。あるいは外気温が低い場合、さらにノートパソコンを動作させない状態では空間１８の空気はその温度が低下して収縮し、シート１４は筐体内部に向かって引き込まれる（１４の破線）。
【０００８】
様々な環境で使用されること、筐体内部に熱源があり内部温度差が大きいこと、筐体が熱伝導率の高い金属であることにより、空間１８の空気の膨張、収縮は顕著であり、最悪のケースでは膨張、収縮の繰り返しでシートが破れ、機器の耐水性を損なう。シートを厚くすれば外見上の問題があり、また丈夫なものを使用すればコストが上昇する。
【０００９】
さらに、空気抜きのためのピンホールを有するシートを使用すれば、ネジ穴とピンホールの位置合わせによる作業性の悪化や、耐水性の問題、つまりピンホールから水が侵入してネジに錆が発生する可能性がある。またピンホールを起点にシートが破れやすくなるなどの新たに発生する課題もあり、いずれも好適な対応策とは言えない。
【００１０】
本発明は上記従来の問題点を解決するもので、ネジ穴の空間１８を薄いシート１４で覆い隠した場合であっても、外気温またはノートパソコンの内部温度の上昇、下降によるネジ穴空間１８の空気の膨張、収縮によってシート１４が膨れ上がったり、ネジ穴空間内部に引き込まれないようにした情報機器の筐体構造を提供することを目的とする。
【課題を解決するための手段】
【００１１】
本発明は、筐体にその筐体の外部表面に露出するネジ穴を設け、前記筐体の内側に配置した部材をその筐体の内部からネジを前記ネジ穴に挿入して前記筐体に固定し、前記筐体の外部表面に貼付けたシートによりその筐体の外部表面に露出するネジ穴を覆うようにし、かつ、前記ネジが挿入され、シートにより覆われたネジ穴の空間と前記筐体の内部との間に空気が流出、流入する通気部を前記筐体に形成したことを特徴とするものである。
【発明の効果】
【００１２】
以上のように本発明は、ネジ穴の空間を薄いシートで覆い隠し、外気温またはノートパソコンの内部温度の上昇、下降によりネジ穴空間の空気が膨張、収縮しても、そのネジ穴空間が通気部によって筐体の内部と通じているため、シートが膨れ上がったり、ネジ穴空間の内部に引き込まれるようなことがなく、したがって、シートが破れて機器の耐水性が損なわれるというようなことがないものである。
【発明を実施するための最良の形態】
【００１３】
以下、本発明の実施の形態について、図１を用いて説明する。
【００１４】
（実施の形態１）
図１は本発明の情報機器の筐体構造の図であり、金属で構成されたノートパソコンの筐体一部の平面図と、この平面図を一点鎖線で切り落とした断面図である。
【００１５】
図１において、１１はノートパソコンの筐体、１２は筐体に留めるプリント基板のような部材、１３は部材１２を筐体１１に留めるネジ、１１ａは筐体１１にその上下に貫通するように切ったネジ穴、１４は部品穴１６（後述）を外部から見えないように覆い隠すシートである。１５はエア抜き溝、１６は部品穴、１８はネジ穴の空間である。
【００１６】
以上のように構成された筐体構造について、図１を用いてその詳細を説明する。
【００１７】
部品穴１６は金属製の筐体１１を成形する時にできる穴であり、筐体の内側、外側を貫通している。シート１４に筐体１１と同色、または同系色のものが使用され、塗布された粘着材により筐体１１に貼付され、外部から見えるネジ穴、エア抜き溝１５、または部品穴１６を筐体外部から覆い隠す。エア抜き溝１５はネジ穴１１aの空間１８と部品穴１６の空気の通り道として筐体外部表面に形成した溝であり、ネジ穴１１aの空間１８の空気が膨張、収縮してもこの溝１５とシート１４とでできた間隙を通して空気が筐体内部に流入あるいは流出するために図４の説明のようにシート１４が膨れ上がったり、ネジ穴１１aの空間１８内部に引き込まれたりすることはない。筐体内部の空間は密閉構造にはなっているが、ネジ穴の空間１８に比べて遙かに大きな空間を有している点、まったくの完全な密閉構造ではない点において、筐体内部の空気の膨張、収縮でエア抜き溝１５を通してシート１４が膨れ上がったり、ネジ穴の空間１８内部に引き込まれたりすることはない。
【００１８】
さらに、部品穴１６のような筐体を貫通する穴がなければ、図２のようにネジ穴の空間１８と筐体１１の内部をつなぐエア抜き孔１７（通気孔）を筐体成形時に構成するようにしても良い。要はシート１４によりできたネジ穴の空間１８を独立した狭い容積の空間とせず筐体１１の内部に対して空気の通り道を形成すればよい。
【００１９】
また、図３のように複数のネジ穴と部品穴をエア抜き溝１５で結んでも良いことは言うまでもない。
【００２０】
以上のように本実施の形態によれば、ネジ穴の空間１８を薄いシート１４で覆い隠した場合であっても、外気温またはノートパソコンの内部温度の上昇、下降によるネジ穴空間１８の空気の膨張、収縮によってシート１４が膨れ上がったり、ネジ穴空間内部に引き込まれるようなことがない情報機器の筐体構造を提供することができる。
【００２１】
なお、本実施の形態では金属筐体のノートパソコンを例にとって説明したが、勿論これに限るものではなく、樹脂等の他の材質で構成された携帯型機器、一般の装置に適用しても良いこと、また、耐水性の目的だけでなく、外観、デザイン面を考慮したシートの貼付であってもよいことは言うまでもない。
【産業上の利用可能性】
【００２２】
本発明にかかる情報機器の筐体構造は、筐体に形成されたネジ穴の空間を薄いシートで覆い隠しても、外気温またはノートパソコンの内部温度の上昇、下降によるネジ穴空間の空気の膨張、収縮によってシートが膨れ上がったり、ネジ穴空間内部に引き込まれるようなことがないものである。
【図面の簡単な説明】
【００２３】
【図１】本発明の筐体構造の平面図と、平面図を一点鎖線で切り落とした断面図
【図２】本発明の筐体構造の他実施例の平面図と、平面図を一点鎖線で切り落とした断面図
【図３】本発明の筐体構造の他実施例の平面図
【図４】従来の金属で構成されたノートパソコンの筐体一部の平面図と、平面図を一点鎖線で切り落とした断面図
【符号の説明】
【００２４】
１１  ノートパソコンの筐体
１１ａ  ネジ穴
１２  筐体に留めるプリント基板のような部材
１３  ネジ
１４  シート
１５  エア抜き溝
１６  部品穴
１７  エア抜き孔（通気孔）
１８  ネジ穴の空間
【図１】
0004654893.tif 000002
【図２】
0004654893.tif 000003
【図３】
0004654893.tif 000004
【図４】
0004654893.tif 000005